(57)【要約】      （修正有）【課題】見守り装置自体を用いて、見守り対象者とその家族との間で簡単なコミュニケーションを図れる、見守り装置及び見守りシステムを提供する。【解決手段】テレビジョン受信器３００のリモートコントローラ２００に設けられている特定のボタン２３０が押下されたときにリモートコントローラから送信される無線信号を受信する第１無線信号受信部１２０と、第１無線信号受信部によって無線信号が受信されたことを報知する第１報知部１１０または１３０と、第１無線信号受信部によって無線信号が受信された場合に予め設定された登録先に特定のボタンが押下されたことを示す信号を送信する信号送信部１５０と、登録先から送信される特定のボタンの押下に対応する信号を受信する信号受信部と、信号受信部によって信号を受信したことを報知する第２報知部１１０または１３０と、を備える。【選択図】図１
2020126407.tif 000002
【特許請求の範囲】
【請求項１】
テレビジョン受信器のリモートコントローラに設けられている特定のボタンが押下されたときに当該リモートコントローラから送信される無線信号を受信する第１無線信号受信部と、
前記第１無線信号受信部によって無線信号が受信されたことを報知する第１報知部と、
前記第１無線信号受信部によって無線信号が受信された場合に予め設定された登録先に前記特定のボタンが押下されたことを示す信号を送信する信号送信部と、
前記登録先から送信される前記特定のボタンの押下に対応する信号を受信する信号受信部と、
前記信号受信部によって信号を受信したことを報知する第２報知部と、
を備える見守り装置。
【請求項２】
前記特定のボタンは、カラーボタンであり、
前記第１又は第２報知部は、前記カラーボタンに割り当てられているカラーと同色のランプを点灯、点滅又は消灯させることによって報知する、請求項１記載の見守り装置。
【請求項３】
さらに、
前記リモートコントローラに設けられている電源ボタンが押下されたときに当該リモートコントローラから送信される無線信号を受信する第２無線信号受信部と、
前記第２無線信号受信部によって無線信号が受信された際に見守り装置本体の周辺音量レベルの変化を示す信号と前記電源ボタンが押下されたことを示す信号とを送信する電源信号送信部と、
を備える、請求項１記載の見守り装置。
【請求項４】
請求項１記載の見守り装置と、
前記信号送信部から送信される信号を受信する端末と、
がネットワークを介して接続されている見守りシステム。
【請求項５】
さらに、前記見守り装置と前記端末とを仲介するサーバを備え、
前記サーバは、
前記電源ボタンが押下されたことをトリガとして前記見守り装置から送信される見守り装置本体の周辺音量レベルの変化を示す信号と当該電源ボタンが押下されたことを示す信号とを受信する電源信号受信部を備える、請求項４記載の見守りシステム。
【発明の詳細な説明】
【技術分野】
【０００１】
本発明は、見守り装置及び見守りシステムに関し、特に、テレビジョン受信器（以下、「テレビ」と称する。）のリモートコントローラ（以下、「リモコン」と称する。）を用いた見守り装置及び見守りシステムに関する。
【背景技術】
【０００２】
特許文献１には、特別な機器を用意することなく、既存の機器を利用して、見守り対象者の見守り可能な見守りシステムが開示されている。この見守りシステムは、見守り対象者が在宅する対象者宅側にテレビの電源ＯＮ／ＯＦＦ、チャネルの切り替えを行うリモコンから発信される赤外線信号を受信し、赤外線信号の含まれるテレビ操作情報のイベント情報（電源ＯＮ／ＯＦＦ、チャネルの切り替え）、イベント情報の発生時のタイムスタンプ情報、見守り対象者を識別するＩＤ情報、からなる視聴情報（見守り情報）を収集する視聴情報収集ユニットと、視聴情報収集ユニットにて収集した視聴情報を蓄積して管理する視聴情報蓄積サーバに送信する通信ユニット（ルータ）を増設するものである。
【特許文献１】特開２０１７−１１７１６８号公報
【発明の開示】
【発明が解決しようとする課題】
【０００３】
しかし、特許文献１に開示されている見守りシステムは、テレビのリモコンの赤外線信号の含まれるテレビ操作情報のイベント情報、イベント情報の発生時のタイムスタンプ情報などを収集して蓄積するものの、見守り対象者とその家族とのコミュニケーションを図ることについては深く検討されていない。
【０００４】
このため、見守り対象者の家族は、見守り対象者のテレビの閲覧状況等について把握することはできるものの、見守り対象者とその家族との間でコミュニケーションを図ろうとすると、電話をかける・手紙を出すなど、別媒体を用いることが必要であった。これでは、見守り装置の使用方法は限定的であり、その利用価値を高めて欲しいとの要望があった。
【０００５】
そこで、本発明は、見守り装置自体を用いて、見守り対象者とその家族との間で簡単なコミュニケーションを図れるようにすることを課題とする。
【課題を解決するための手段】
【０００６】
上記課題を解決するために、本発明の見守り装置は、
テレビのリモコンに設けられている特定のボタンが押下されたときに当該リモコンから送信される無線信号を受信する第１無線信号受信部と、
前記第１無線信号受信部によって無線信号が受信されたことを報知する第１報知部と、
前記第１無線信号受信部によって無線信号が受信された場合に予め設定された登録先に前記特定のボタンが押下されたことを示す信号を送信する信号送信部と、
前記登録先から送信される前記特定のボタンの押下に対応する信号を受信する信号受信部と、
前記信号受信部によって信号を受信したことを報知する第２報知部と、
を備える。
【０００７】
前記特定のボタンは、カラーボタンとすることができ、この場合には、前記第１又は第２報知部は、前記カラーボタンに割り当てられているカラーと同色のランプを点灯、点滅又は消灯させることによって報知するとよい。
【０００８】
さらに、
前記リモコンに設けられている電源ボタンが押下されたときに当該リモコンから送信される無線信号を受信する第２無線信号受信部と、
前記第２無線信号受信部によって無線信号が受信された際に見守り装置本体の周辺音量レベルの変化を示す信号と前記電源ボタンが押下されたことを示す信号とを送信する電源信号送信部と、
を備えることもできる。
【０００９】
また、本発明の見守りシステムは、
上記見守り装置と、
前記信号送信部から送信される信号を受信する端末と、
がネットワークを介して接続されている。
【００１０】
さらに、前記見守り装置と前記端末とを仲介するサーバを備えてもよく、
前記サーバは、
前記電源ボタンが押下されたことをトリガとして前記見守り装置から送信される見守り装置本体の周辺音量レベルの変化を示す信号と当該電源ボタンが押下されたことを示す信号とを受信する電源信号受信部を備えるとよい。
【図面の簡単な説明】
【００１１】
【図１】本発明の実施形態の見守りシステムの模式的な構成図である。
【図２】図１に示す見守りシステムの動作を示すタイムチャートである。
【図３】図１のスマートフォン５００にインストールされている既述のアプリケーションプログラムを起動した際のスマートフォン５００のディスプレイに表示される画面例を示す図である。
【符号の説明】
【００１２】
１００  見守り装置
１１０，１３０  報知部
１２０  赤外線信号受信部
１４０  集音部
１５０  通信部
２００  リモコン
３００  テレビ
４００  サーバ
５００  スマートフォン
６００  赤外線信号
７００  ネットワーク回線
【発明の実施の形態】
【００１３】
以下、本発明の実施形態について図面を参照して説明する。
【００１４】
（概要の説明）
まず、本実施形態の見守りシステムの概要について説明する。本実施形態の見守りシステムは、見守り対象者がテレビのリモコンに設けられているカラーボタンを押下した場合に、典型的には、いずれの色のカラーボタンが押下されたかを、見守り対象者の家族に報知するものである。
【００１５】
このように、本実施形態の見守りシステムは、典型的な見守り対象者となろう年配者は
、複雑なリモコン操作をすることなく、自身の家族に向けてカラーボタンの押下を通じて意思表示を行うことが可能になる。
【００１６】
また、本実施形態の見守りシステムは、見守り対象者の家族からスマートフォン又はパーソナルコンピュータから、カラーボタンの押下に対応する信号が送信された場合に、そのことを見守り対象者に報知する。
【００１７】
したがって、本実施形態の見守りシステムは、見守り対象者の家族から見守り対象者に対して、見守り対象者の意思表示に応答することもできるし、自発的に見守り対象者に対する意思表示をすることができる。
【００１８】
見守り対象者の家族から見守り対象者に対する意思表示は、見守り装置を通じて行う。具体的には、これに限定されるものではないが、リモコンには通常、青色ボタン、赤色ボタン、緑色ボタン、黄色ボタンといった４つのカラーボタンが設けられているので、見守り装置にはこれらの４つのカラーボタンに対応する色のＬＥＤランプを設けておき、見守り対象者の家族から送信される信号に応じた色のＬＥＤランプを点灯、点滅、消灯の切り替えをすることによって実現することができる。
【００１９】
なお、４つのカラーボタンが押下された場合の意思表示の意味内容は、事前に見守り対象者とその家族との間で取り決めをしておけばよいし、予め見守りシステムの管理者等が決めておいてもよい。これにより、両者間で簡便に意思表示を相手方に伝えることが可能となる。
【００２０】
例えば、青色ボタンが押下された場合には「元気だよ」という意味内容であること、赤色ボタンが押下された場合には「電話ちょうだい」という意味内容であること、緑色ボタンが押下された場合には「おはよう」という意味内容であること、黄色ボタンが押下された場合には「おやすみ」という意味内容であることを事前に取り決めすればよい。
【００２１】
さらには、これらの４つのバリエーションに加えて、既述のように、ＬＥＤランプの点灯／点滅の別を加味すると、これだけで８つの意味内容を相手方に伝えることが可能になるし、点滅時間、点灯間隔などの点滅パターンを変更することで、更に多くの意味内容を相手方に伝えることも可能となる。
【００２２】
このように、本実施形態の見守りシステムでは、見守り装置自体を用いて、見守り対象者とその家族との間で簡単なコミュニケーションを図れるようにしている。以下、具体的に見守りシステムの構成及び動作について説明する。
【００２３】
（構成の説明）
図１は、本発明の実施形態の見守りシステムの模式的な構成図である。図１には、以下説明する、見守り装置１００と、リモコン２００と、テレビ３００と、サーバ４００と、スマートフォン５００と、赤外線信号６００と、ネットワーク回線７００と、を示している。
【００２４】
見守り装置１００は、通常、見守り対象者のテレビ３００の近傍に設置され、リモコン２００のいずれかのボタン２１０等が押下された際に、リモコン２００から送信される赤外線信号（無線信号）６００を受信するものである。
【００２５】
また、見守り装置１００は、リモコン２００の電源ボタン２１０が押下された際にリモコンから送信される赤外線信号６００が受信されたときに、見守り装置１００本体の周辺音量レベルの変化を示す信号と電源ボタン２１０が押下されたことを示す信号とを、サー
バ４００に送信し、サーバ４００において設定された異常条件となれば予め設定された登録先に付帯するスマートフォン５００などにアラームを向けて送信させるものである。
【００２６】
見守り装置１００は、以下説明する、報知部１１０，１３０と、赤外線信号受信部１２０と、集音部１４０と、通信部１５０と、を備えている。
【００２７】
報知部１１０，１３０は、赤外線信号受信部１２０によってカラーボタン２３０のうち、例えば、青色ボタン２３２又は黄色ボタン２３４が押下されたことを示す赤外線信号６００が受信されたことを見守り対象者に対して報知するものである。
【００２８】
なお、見守り対象者が意図せず青色ボタン２３２又は黄色ボタン２３４に触れてしまい、リモコン２００から見守り装置１００に向けて赤外線信号６００が送信された場合に、見守り装置１００が反応して応答することを回避するために、報知部１１０，１３０は、青色ボタン２３２又は黄色ボタン２３４が例えば２〜３秒程度長押しされたことをもって、報知処理を行うこともできる。
【００２９】
また、報知部１１０，１３０は、登録先に付帯するスマートフォン５００などからサーバ４００を経由して送信される青色ボタン２３２又は黄色ボタン２３４の押下に対応する信号が、通信部１５０によって受信されたことを報知するものである。
【００３０】
なお、図１には、報知部１１０，１３０という２つの報知部を示しているが、報知部の数は、１つでもよいし３つ以上でもよい。また、報知部１１０，１３０は、カラーボタン２３０に対応するもの以外のもの、すなわち、例えば、決定ボタンに対応する報知部を設けてもよい。
【００３１】
また、報知部１１０，１３０は、これらに限定されるものではないが、カラーボタンに割り当てられているカラーと同色のＬＥＤランプを点灯、点滅又は消灯させることによって、視覚を通じて理解しやすい態様で報知するとよい。
【００３２】
赤外線信号受信部１２０は、テレビ３００のリモコン２００に設けられている、電源ボタン２１０、数字ボタン群２２０のいずれかのボタン、カラーボタン２３０、その他のボタンが押下されたときに、押下したボタンに対応してリモコン２００から送信される赤外線信号６００を受信するものである。
【００３３】
なお、リモコン２００は、赤外線信号６００を送信するものが現状では多く見受けられるが、ブルートゥース（登録商標）、ジグビー（登録商標）などの無線規格に従った無線信号を送信できるものもあるので、その場合に、これらの無線信号に対応する受信部を設ければよい。
【００３４】
集音部１４０は、見守り装置１００本体の周辺音量レベルの変化を示す信号を得るために、例えば常時、見守り装置１００本体の周辺の音を集めるマイクロフォンと、マイクロフォンで集められた音を記録するＦＩＦＯメモリとを備える。
【００３５】
通信部１５０は、赤外線信号受信部１２０によってカラーボタン２３０が押下されたことを示す赤外線信号６００が受信された場合に、登録先に付帯するスマートフォン５００などに、カラーボタン２３０が押下されたことを示す信号をサーバ４００を経由して送信するものである。
【００３６】
また、通信部１５０は、登録先に付帯するスマートフォン５００などからサーバ４００を経由して送信される、カラーボタン２３０の押下に対応する信号を受信するものである
。
【００３７】
さらに、通信部１５０は、リモコン２００の電源ボタン２１０が押下されたことを示す赤外線信号６００が受信された場合に、集音部１４０で集音され記録されている見守り装置１００本体の周辺音量レベルの変化を示す信号と電源ボタン２１０が押下されたことを示す信号とをサーバ４００に送信するものである。
【００３８】
リモコン２００は、少なくとも、電源ボタン２１０、数字ボタン群２２０のいずれかのボタン、青色ボタン２３２及び黄色ボタン２３４を含むカラーボタン２３０、決定ボタンを含むその他のボタンを備えている。リモコン２００は、赤外線送信タイプのものであってもよいし、これ以外の無線信号送信タイプのものであってもよい。
【００３９】
テレビ３００は、既知のように、地上波、ＢＳ放送、ＣＳ放送などの各種放送波を受信可能なアンテナ、チューナーなどを内蔵したものである。なお、見守り装置１００の各機能を、テレビ３００自体に搭載して一体化することもできる。
【００４０】
サーバ４００は、見守り装置１００及びスマートフォン５００などから送信される各種信号を入力して、当該信号に対応する処理を行うものである。具体的な各種処理については、動作説明とともに後述するが、サーバ４００は、見守り対象者が黄色ボタン２３４を押下すると、スマートフォン５００に対してそのことを報知したり、反対に、スマートフォン５００から黄色ボタン２３４に対応する指示がされた場合に、そのことを見守り装置１００の報知部１３０によって報知させるものである。
【００４１】
スマートフォン５００は、見守り対象者の家族、関係者などが所有するものである。スマートフォン５００には、後述する動作を実行するためのアプリケーションプログラムをインストールすることができる。なお、当該動作については、ブラウザによって実現することもできる。
【００４２】
赤外線信号６００は、リモコン２００の電源ボタン２１０、カラーボタン２３０等が押下されたときに、リモコン２００から送信されるものである。繰り返しになるが、リモコン２００が赤外線以外の無線信号を送信するタイプのものであれば、赤外線信号６００は無線信号となる。
【００４３】
ネットワーク回線７００は、インターネット回線、携帯電話回線などの総称である。具体的には、典型例を示すと、見守り装置１００とサーバ４００とはインターネット回線乃至はＬＴＥなどの通信回線で接続され、サーバ４００とスマートフォン５００とはインターネット回線及び携帯電話回線で接続される。
【００４４】
（動作の説明）
図２は、図１に示す見守りシステムの動作を示すタイムチャートである。まず、初期設定について説明する。なお、初期設定は、ステップＳ１〜ステップＳ７を実行することによってなされる。
【００４５】
見守り対象者又はその家族は、リモコン２００が汎用リモコンと称されるものである場合には、テレビ３００のメーカ名・型番などの情報をリモコン２００に対して設定する（ステップＳ１）。
【００４６】
また、見守り対象者等は、リモコン２００から送信される赤外線信号６００を、見守り装置１００で受信できるように、リモコン２００を操作するなどして、テレビ３００のメーカ名・型番などを示す信号を見守り装置１００に送信する（ステップＳ２）。 
【００４７】
見守り装置１００では、通信部１５０によってリモコン２００からのメーカ名・型番を示す信号受信すると、それを図示しないメモリに格納することによって、リモコン２００の設定登録を行う（ステップＳ３）。
【００４８】
つぎに、見守り装置１００では、サーバ４００とのやり取りを行えるように、通信部１５０が、自装置に固有に割り当てられている装置ＩＤを、ネットワーク回線７００を介してサーバ４００に送信する（ステップＳ４）。
【００４９】
また、スマートフォン５００は、本実施形態の見守りシステムのサービスを受けられるようにするために、見守り装置１００に付帯して割り当てられる固有のログインＩＤ、装置ＩＤなどを用いて、ユーザの会員登録を行う（ステップＳ５）。
【００５０】
具体的には、スマートフォン５００からサーバ４００に対して、本実施形態の見守りシステムのサービスを受ける際に必要な、ログインＩＤ、パスワード及び既述の登録先となる登録アドレスを、上記の装置ＩＤとともにネットワーク回線７００を通じてサーバ４００に送信する（ステップＳ６）。
【００５１】
サーバ４００は、スマートフォン５００から送信される装置ＩＤ等を受信すると、先に見守り装置１００から送信されている装置ＩＤと照合することで、登録アドレス等を一組の対応情報として図示しないメモリなどに格納する（ステップＳ７ ）。
【００５２】
こうして、リモコン２００と、見守り装置１００と、サーバ４００と、スマートフォン５００との間で関連付けがされる。以上の各処理を実行することによって、初期設定が完了する。
【００５３】
初期設定が完了した後に、見守り対象者が、リモコン２００の赤外線信号発信部をテレビ３００の赤外線信号受信部に向けた状態で、リモコン２００のカラーボタン２３０の一つである黄色ボタン２３４を長押ししたとする（ステップＳ８ ）。
【００５４】
そうすると、リモコン２００からテレビ３００及びこの近傍に設置されている見守り装置１００に向けて、黄色ボタン２３４に対応する赤外線信号６００の送信が開始することになる（ステップＳ９，ステップＳ１０）。
【００５５】
見守り装置１００では、赤外線信号受信部１２０によって、リモコン２００から黄色ボタンに対応する赤外線信号６００を受信し、この状態が所定期間継続することで長押しされたという判定をした場合には、見守り対象者の長押し操作に対して見守り装置１００が反応したことを示すために、報知部１３０を点灯させる（ステップＳ１１）。
【００５６】
つぎに、見守り装置１００では、通信部１５０がサーバ４００に対して黄色ボタンが長押しされたことを示す黄色ボタン信号を、自装置に割り当てられている固有の装置ＩＤを付加して、ネットワーク回線７００を通じてサーバ４００に向けて送信する（ステップＳ１２）。
【００５７】
サーバ４００は、見守り装置１００から送信された黄色ボタン信号を受信すると、そこに付加されている装置ＩＤに対応する登録先アドレスを、宛先としてメモリから読み出す（ステップＳ１３）。
【００５８】
そして、サーバ４００が、その登録アドレスに対して、ネットワーク回線７００を通じて黄色ボタン信号を送信すると（ステップＳ１４）、スマートフォン５００では、この信
号を受信することができるので、見守り対象者のリモコン２００の黄色ボタン２３４が長押しされたことを、その家族にスマートフォン５００を通じて報知することができる（ステップＳ１５）。
【００５９】
ここでいう報知の手法としては、これらに限定されるものではないが、登録先アドレスに対して電子メールを送信してもよいし、ショートメッセージを送信してもよいし、本実施形態の見守りシステムのサービスに付帯するアプリケーションプログラムを通じてアラームを出してもよい。
【００６０】
これに気づいた家族は、黄色ボタン信号を受信したことの返信をするために、スマートフォン５００などを操作することによって、見守り装置１００の報知部１３０の点灯状態を解除するための解除操作を実行したとする（ステップＳ１６）。
【００６１】
これにより、スマートフォン５００などから、ネットワーク回線７００を通じて、登録先を示す情報が付加された解除指示信号が送信される（ステップＳ１７）。
【００６２】
サーバ４００は、スマートフォン５００などから送信された解除指示信号を受信すると、そこに付加されている登録先アドレスに対応する装置ＩＤを、宛先としてメモリから読み出す（ステップＳ１８）。
【００６３】
そして、サーバ４００が、その装置ＩＤに対して、ネットワーク回線７００を通じて解除指示信号を送信すると（ステップＳ１９）、見守り装置１００では、この信号を受信することができるので、報知部１３０を点灯状態から必要に応じて点滅状態を経由して消灯状態に切り替える（ステップＳ２０）。
【００６４】
以上説明したように、初期設定がされた後、ステップＳ８〜ステップＳ２０に示す処理を実行することによって、見守り対象者からその家族に向けて意思表示をすることができる。
【００６５】
一方、見守り対象者の家族から見守り対象者に向けて意思表示をする場合には、見守り対象者の家族がスマートフォン５００などを操作することによって実現することができる。具体的には、例えば、スマートフォン５００にインストールされているアプリケーションプログラムを通じて、青色ボタンを模した画像をスワイプ操作又はタップ操作等すればよい（ステップＳ２１）。
【００６６】
これにより、スマートフォン５００などから、ネットワーク回線７００を通じて、登録先を示す情報が付加された青色ボタン２３２に対応する報知部１１０を点滅させるための点滅指示が送信される（ステップＳ２２）。
【００６７】
サーバ４００は、スマートフォン５００などから送信された点滅指示信号を受信すると、そこに付加されている登録先アドレスに対応する装置ＩＤを、宛先としてメモリから読み出す（ステップＳ２３）。
【００６８】
そして、サーバ４００が、その装置ＩＤに対して、ネットワーク回線７００を通じて点滅指示信号を送信すると（ステップＳ２４）、見守り装置１００では、この信号を受信することができるので、報知部１３０を消滅状態から点滅状態に切り替える（ステップＳ２５）。
【００６９】
以上説明したように、初期設定がされた後、ステップＳ２１〜ステップＳ２５に示す処理を実行することによって、見守り対象者からその家族に向けて意思表示をすることがで
きる。
【００７０】
なお、同様の説明が重複することを避けるため、図示していないが、報知部１３０の点滅に気づいた見守り対象者がリモコン２００の青色ボタン２３２を押下すれば、これに連動してステップＳ１５〜ステップＳ２０に対応する処理がなされ、スマートフォン５００に対して点滅処理が解除されたことを報知することができる。
【００７１】
また、後述するように、本実施形態の見守りシステムでは、リモコン２００の電源ボタン２１０が押下されたときに、テレビ３００の電源がオンされたかオフされたかを判定することができるので、見守り装置１００とテレビ３００との関係を強固にするとともに、所要の処理を実行するプログラムをこれらにセットしておき、テレビ３００の電源がオンである場合には、報知部１１０，１３０を通じて報知すべき内容をテレビ３００の画面に表示することも一法である。この場合には、テレビ３００としては、いわゆるスマートテレビを用いるとよい。
【００７２】
すなわち、具体的には、既述のように青色ボタン２３２が押下された場合には「元気だよ」という意味内容であるということを、見守り対象者とその家族との間で取り決めした場合には、見守り装置１００及びテレビ３００に対してその意味内容を、リモコン２００を通じて設定できるようにする。
【００７３】
そして、テレビ３００の電源がオン状態でリモコン２００の青色ボタン２３２が長押しされ、それを見守り装置１００で検知した場合には、見守り装置１００からテレビ３００に対して、その旨を出力可能とする。一方、テレビ３００では、この出力信号を入力すると「元気だよというメッセージを送りました」というような情報をディスプレイに表示可能とする。
【００７４】
或いは、テレビ３００の電源がオンしているのだから、リモコン２００の青色ボタン２３２が長押しされたことを、テレビ３００で検知して、見守り装置１００を介すことなく、同様の動作を可能とする。この場合、見守り装置１００からテレビ３００に対して重複した指示がなされないように、テレビ３００の電源がオン状態である場合には、見守り装置１００からテレビ３００に対する出力を抑止すればよい。
【００７５】
図３は、図１のスマートフォン５００にインストールされている既述のアプリケーションプログラムを起動した際のスマートフォン５００のディスプレイに表示される画面例を示す図である。なお、図３に示す画面例はあくまで例示したものであり、レイアウト、表示内容、表示態様、表示対象などは、これに限定されるものではない。
【００７６】
図３に示す画面例は、以下説明する、サービス名等表示領域５１０と、メニュー表示領域５２０と、ＬＥＤ点灯状態表示領域５３０と、青色ＬＥＤランプオン／オフ表示領域５４０と、青色ＬＥＤランプ点灯／点滅指示表示領域５５０と、黄色ＬＥＤランプオン／オフ表示領域５６０と、黄色ＬＥＤランプ点灯／点滅指示表示領域５７０とを含む。
【００７７】
サービス名等表示領域５１０は、本実施形態の見守りシステムによって提供されるサービス名を表示したり、このアプリケーションプログラムの各種設定画面に遷移する指示領域を表示したり、当該アプリケーションプログラムからのログアウトの指示領域を表示したりするなどするものである。
【００７８】
メニュー表示領域５２０は、当該アプリケーションプログラムのトップ画面に遷移する指示領域「会員ＴＯＰ」を表示したり、サーバ４００を通じて送信されるカラーボタン信号受信時のアラーム設定を行う画面に遷移する指示領域「アラーム設定」を表示したり、
見守り装置１００で収集される見守り対象者のリモコン２００の簡易な操作履歴等の閲覧画面に遷移する指示領域「履歴サマリー」を表示したり、見守り装置１００で収集される見守り対象者のリモコン２００の詳細な操作履歴等の閲覧画面に遷移する指示領域「生活リズム」を表示したりするものである。
【００７９】
ＬＥＤ点灯状態表示領域５３０は、青色ＬＥＤランプオン／オフ表示領域５４０と、青色ＬＥＤランプ点灯／点滅指示表示領域５５０と、黄色ＬＥＤランプオン／オフ表示領域５６０と、黄色ＬＥＤランプ点灯／点滅指示表示領域５７０とを含む領域である。
【００８０】
青色ＬＥＤランプオン／オフ表示領域５４０は、報知部１１０であるところの青色ＬＥＤランプのオン／オフを切り替えるためのスワイプ操作がされる領域である。図３には、青色ＬＥＤランプが「オン」されている状態を示している。
【００８１】
青色ＬＥＤランプ点灯／点滅指示表示領域５５０は、青色ＬＥＤランプオン／オフ表示領域５４０が「オン」を示している際に、報知部１１０が点灯状態であるか点滅状態であるかが示される領域である。ここでは、「点灯」であることが示されている。
【００８２】
黄色ＬＥＤランプオン／オフ表示領域５６０は、 青色ＬＥＤランプオン／オフ表示領
域５４０に対応する領域である。両者の相違点は、表示対象となるものが報知部１１０から報知部１３０といった黄色ＬＥＤランプに変わっただけである。
【００８３】
黄色ＬＥＤランプ点灯／点滅指示表示領域５７０は、青色ＬＥＤランプ点灯／点滅指示表示領域５５０に対応する領域である。両者の相違点は、表示対象となるものが報知部１１０から報知部１３０といった黄色ＬＥＤランプに変わっただけである。
【００８４】
なお、図３には、黄色ＬＥＤランプが「オン」されている状態を示しているので、これは図２のステップＳ１５が実行された状態に対応している。また、見守り対象者の家族が、黄色ＬＥＤランプを「オフ」に切り替えるためのスワイプ操作を行うと、図２のステップＳ１６〜ステップＳ２０の各処理が実行されることになる。
【００８５】
つぎに、リモコン２００の電源ボタン２１０のオン／オフの判定手法について説明する。電源ボタン２１０が押下されると、テレビ３００の電源がオン状態であっても、テレビ３００の電源がオフ状態であっても、リモコン２００から送信される赤外線信号６００は同じである。
【００８６】
つまり、理解容易のために、テレビ３００とリモコン２００との関係で説明すると、テレビ３００の電源がオフ状態で電源ボタン２１０が押下され、これがテレビ３００の赤外線信号受信部において受信された場合には、テレビ３００の電源がオフ状態からオン状態に切り替わる。
【００８７】
反対に、テレビ３００の電源がオン状態で電源ボタン２１０が押下され、これがテレビ３００の赤外線信号受信部において受信された場合には、テレビ３００の電源がオン状態からオフ状態に切り替わる。
【００８８】
このように、リモコン２００の電源ボタン２１０が押下された際に送信される赤外線信号６００は、「オフ状態からオン状態に切り替えることの指示」或いは「オン状態からオフ状態に切り替えることの指示」という具体的なものを指すのではなく、単に「電源ボタン２１０が押下された」という指示を指すに過ぎない。
【００８９】
上記のように、テレビ３００であれば、電源ボタン２１０が押下され、それを検知する
たびに、電源のオン／オフ状態を切り替えればよいが、見守り装置１００においては、見守り対象者がテレビ３００の電源をオンする意図で電源ボタン２１０を押下したのか、見守り対象者がテレビ３００の電源をオフする意図で電源ボタン２１０を押下したのかを判定することが求められることがある。
【００９０】
そこで、本実施形態の見守り装置１００では、既述のように、集音部１４０を設けている。今一度説明すると、集音部１４０は、見守り装置１００本体の周辺音量レベルの変化を示す信号を得るために、例えば常時、見守り装置１００本体の周辺の音を集めるマイクロフォンと、マイクロフォンで集められた音を記録するＦＩＦＯメモリとを備えている。
【００９１】
このため、典型的には、テレビ３００の電源のオン／オフに拘わらず、常時、マイクロフォンを用いて見守り装置１００本体周辺の音を集め、それをサンプリングしてアナログ信号からディジタル信号に変換し、周辺音量レベルを示す情報をＦＩＦＯメモリに記録していく。ＦＩＦＯメモリは少なくとも過去３０秒間程度の情報が記録できるような容量とすればよい。
【００９２】
そして、見守り対象者がリモコン２００の電源ボタン２１０を押下し、これを赤外線信号受信部１２０によって受信した場合には、通信部１５０は、１５秒ほど経過するまで待って、ＦＩＦＯメモリに記録されている過去３０秒間程度の情報を示す信号と電源ボタン２１０が押下されたことを示す信号とを、自装置に割り当てられている固有の装置ＩＤをこれに付加してからサーバ４００にネットワーク回線７００を通じて送信する。これにより、電源ボタン２１０の押下前後それぞれ１５秒程度の情報がサーバ４００に送信されることになる。
【００９３】
サーバ４００は、見守り装置１００から送信される信号を受信すると、当該信号に付加されている装置ＩＤに紐づけをしてメモリに信号が示す情報を格納する。また、サーバ４００は、例えば、当該情報を示す信号の周辺音声のレベルの大小で、テレビ３００の電源がオンからオフに切り替わったのか、オフからオンに切り替わったのかを判定することができる。また、電源ボタン２１０の押下信号の前後に、数字ボタン群２２０のいずれかのボタンやその他のボタンの押下信号をもとに電源オン・オフを判定してもよい。
【００９４】
ここでは、電源ボタン２１０が押下された場合の処理について説明したが、リモコン２００の数字ボタン群２２０のいずれかのボタンであったり、その他のボタンだったりが押下された場合にも、リモコン２００の操作履歴が見守り装置１００からサーバ４００に対して送信されるようにしている。
【００９５】
このため、スマートフォン５００は、サーバ４００からこれらの操作履歴を受信することによって、メニュー表示領域５２０に「履歴サマリー」又は「生活リズム」と表示されている指示領域を押下することによって、操作履歴の閲覧が可能となる。
【００９６】
以上説明したように、本実施形態の見守りシステムによれば、見守り対象者としてはリモコン２００の特定のボタンを押下するといった簡易な操作をするだけで、見守り対象者とその家族との間で、簡単なコミュニケーションを図ることが可能となる。
【図１】
2020126407.tif 000003
【図２】
2020126407.tif 000004
【図３】
2020126407.tif 000005